【手続補正書】
【提出日】平成27年3月5日(2015.3.5)
【手続補正１】
【補正対象書類名】明細書
【補正対象項目名】０００７
【補正方法】変更
【補正の内容】
【０００７】
この発明は、複数のソーラーセルが平面的に配列された第１ソーラー部と、複数のソーラーセルが平面的に配列され、前記第１ソーラー部に対して面方向に位置がずれた状態で、前記第１ソーラー部より下側に所定間隔を隔てて配置された第２ソーラー部と、前記第１ソーラー部と前記第２ソーラー部とを連結する連結部と、を備え、前記連結部は、前記第２ソーラー部より下側に位置する領域内に配置される接続部を有し、この接続部に前記第１ソーラー部と前記第２ソーラー部とが電気的に接続される接点端子が設けられていることを特徴とするソーラー発電装置である。
【手続補正２】
【補正対象書類名】明細書
【補正対象項目名】００４０
【補正方法】変更
【補正の内容】
【００４０】
すなわち、表示回転板１４の上面に設けられた世界の主要都市の情報表示部１４ａの一部が、上文字板８の表示開口部８ａを通して露呈し、この情報表示部１４ａのいずれかの都市名が指示マーク８ｂによって指示表示されると、その指示表示された都市の時刻を分針１２および時針１３によって指示する。
【手続補正３】
【補正対象書類名】明細書
【補正対象項目名】００６７
【補正方法】変更
【補正の内容】
【００６７】
これにより、連結部３３は、図４および図５に示すように、接続部３６が時計ムーブメント６の下面に沿って配置されると、第１連結片３８と第２連結片３９とが時計ムーブメント６の両側に突出して配置されるように構成されている。この連結部３３の第１連結片３８は、時計ムーブメント６の端部に位置する接続部３６の一端部（図４では右端部）で上方に向けて折り曲げられ、この折り曲げられた第１連結片３８の上部で第１ソーラー部３１を折り曲げて上文字板８の下側に配置するように構成されている。
【手続補正４】
【補正対象書類名】明細書
【補正対象項目名】００６８
【補正方法】変更
【補正の内容】
【００６８】
同様に、第２連結片３９は、図４および図５に示すように、時計ムーブメント６の端部に位置する接続部３６の他端部（図４では左端部）で上方に向けて折り曲げられ、この折り曲げられた第２連結片３９の上部で第２ソーラー部３２を折り曲げて下文字板７の下側に配置するように構成されている。
【手続補正５】
【補正対象書類名】明細書
【補正対象項目名】００８１
【補正方法】変更
【補正の内容】
【００８１】
次に、このような電子腕時計の作用について説明する。
この電子腕時計においても、第１実施形態と同様、分針１２および時針１３が上文字板８の上方を運針して現在時刻を指示する。また、時計ムーブメント６によって表示回転板１４が回転し、表示回転板１４の情報表示部１４ａの一部が、上文字板８の表示開口部８ａに対応して露呈すると、この情報表示部１４ａのいずれかの都市名が指示マーク８ｂによって指示表示され、その指示表示された都市の時刻を分針１２および時針１３が運針して指示する。
【手続補正６】
【補正対象書類名】明細書
【補正対象項目名】００９６
【補正方法】変更
【補正の内容】
【００９６】
これにより、連結部４１は、図６および図７に示すように、接続部４２が時計ムーブメント６の下面に沿って配置されると、第１連結片４４と第２連結片４５とが時計ムーブメント６の両側に突出して配置されるように構成されている。この連結部４１の第１連結片４４は、時計ムーブメント６の端部に位置する接続部４２の一端部（図６では右端部）で上方に向けて斜めに折り曲げられ、この斜めに折り曲げられた上部で第１ソーラー部３１を折り曲げて上文字板８の下側に配置するように構成されている。
【手続補正７】
【補正対象書類名】明細書
【補正対象項目名】０１１０
【補正方法】変更
【補正の内容】
【０１１０】
次に、このような電子腕時計の作用について説明する。
この電子腕時計においても、第１実施形態と同様、分針１２および時針１３が上文字板８の上方を運針して現在時刻を指示する。また、時計ムーブメント６によって表示回転板１４が回転し、表示回転板１４の情報表示部１４ａの一部が上文字板８の表示開口部８ａに対応して露呈する。そして、この情報表示部１４ａのいずれかの都市名が指示マーク８ｂによって指示表示され、その指示表示された都市の時刻を分針１２および時針１３が運針して指示する。
【手続補正８】
【補正対象書類名】特許請求の範囲
【補正対象項目名】全文
【補正方法】変更
【補正の内容】
【特許請求の範囲】
【請求項１】
複数のソーラーセルが平面的に配列された第１ソーラー部と、
複数のソーラーセルが平面的に配列され、前記第１ソーラー部に対して面方向に位置がずれた状態で、前記第１ソーラー部より下側に所定間隔を隔てて配置された第２ソーラー部と、
前記第１ソーラー部と前記第２ソーラー部とを連結する連結部と、を備え、
前記連結部は、前記第２ソーラー部より下側に位置する領域内に配置される接続部を有し、この接続部に前記第１ソーラー部と前記第２ソーラー部とが電気的に接続される接点端子が設けられていることを特徴とするソーラー発電装置。
【請求項２】
請求項１に記載のソーラー発電装置において、前記第１ソーラー部と前記第２ソーラー部と前記連結部とは、フレキシブルなフィルムによって一体に連結形成されていることを特徴とするソーラー発電装置。
【請求項３】
請求項１または請求項２に記載のソーラー発電装置において、前記連結部は、前記接続部と前記第１ソーラー部とを連結する第１連結片と、前記接続部と前記第２ソーラー部とを連結する第２連結片とを有し、前記第１連結片が前記第２連結片よりも前記第１ソーラー部と前記第２ソーラー部との上下方向における前記所定間隔だけ長く形成されていることを特徴とするソーラー発電装置。
【請求項４】
請求項３に記載のソーラー発電装置において、前記連結部は、前記第１、第２の各ソーラー部の側方に位置し、前記第１連結片は、前記第１ソーラー部の外周部の一端部と前記接続部の一側部とに折り曲げ可能に連結され、前記第２連結片は、前記第１ソーラー部の前記一端部に隣接する前記第２ソーラー部の外周部の一端部と前記接続部の前記一側部とに、前記第１連結片と平行な状態で、折り曲げ可能に連結されていることを特徴とするソーラー発電装置。
【請求項５】
請求項３に記載のソーラー発電装置において、前記連結部は、前記第１、第２の各ソーラー部の間に位置し、前記第１連結片は、前記第１ソーラー部の外周における中間部と前記接続部の一端部とに折り曲げ可能に連結され、前記第２連結片は、前記第２ソーラー部の外周における中間部と前記接続部の他端部とに折り曲げ可能に連結されていることを特徴とするソーラー発電装置。
【請求項６】
請求項３に記載のソーラー発電装置において、前記連結部は、前記第１、第２の各ソーラー部の間に位置し、前記第１連結片は、その一端部が前記接続部の一端部に斜めに折り曲げ可能に連結されていると共に、前記第１連結片の他端部が前記第１ソーラー部の外周部に折り曲げ可能に連結されており、前記第２連結片は、その一端部が前記接続部の他端部に斜めに折り曲げ可能に連結されていると共に、前記第２連結片の他端部が前記第２ソーラー部の外周部に折り曲げ可能に連結されていることを特徴とするソーラー発電装置。
【請求項７】
請求項１〜請求項６のいずれかに記載のソーラー発電装置において、前記連結部の前記接続部における前記接点端子は、前記第２ソーラー部より下側に位置する回路基板上の接続電極に接続部材によって電気的に接続されていることを特徴とするソーラー発電装置。
【請求項８】
請求項１〜請求項７のいずれかに記載されたソーラー発電装置を備えていることを特徴とする電子時計。